(57)【要約】【課題】型枠を用いてコンクリートや充填材を打設する施工において、容易にできる型枠固定方法を提供する。【解決手段】施工基準面に所定の間隔で固定されたアンカーに着脱自在に設けたセパレータに、型枠板を施工基準面と仕上面の間隔を保持して固定する目的で使用され、前記セパレータを内挿して設けられ、円筒状で樹脂材料の発泡体で成り、施工基準面と仕上面の間隔が一様でない場合に対応可能に、施工時に適宜切断手段によって長さ調節可能であることを特徴とする型枠固定材とする。また、前記型枠固定材を用いた型枠工法とするのが好ましい。【選択図】図４
2018150785.tif 000002
【特許請求の範囲】
【請求項１】
型枠を用いてコンクリートや充填材を打設する施工において、
施工基準面に所定の間隔で固定されたアンカーに着脱自在に設けたセパレータに、型枠板４０を施工基準面と仕上面の間隔を保持して固定する目的で使用され、
前記セパレータを内挿して設けられ、
円筒状で樹脂材料の発泡体で成り、
施工基準面と仕上面の間隔が一様でない場合に対応可能に、
施工時に適宜切断手段によって長さ調節可能であることを特徴とする型枠固定材。
【請求項２】
型枠を用いてコンクリートや充填材を打設する施工において、
施工基準面に固定されたアンカーに着脱自在に設けたセパレータに挿通され、
型枠板を施工基準面と仕上面の間隔を保持して固定する前記請求項１に記載の型枠固定材を用いた型枠工法。
【発明の詳細な説明】
【技術分野】
【０００１】  本発明は、小規模のコンクリート打設用の型枠材を固定する部材に関する。
【背景技術】
【０００２】  従来、壁などのコンクリート打設用の型枠として、セパレータと呼ばれる両端側にネジ部を有する連結棒に、打設するコンクリートの厚さ相当の間隔で一対のＰコン（登録商標、以下同じ）と呼ばれる係止具を螺着し、両側からセパレータを挿通して型枠板（面板）が設置され、補強の端太材と呼ばれる骨組材と併せてフォームタイ（登録商標、以下同じ）と呼ばれる締め付け金具で固定する方法がある。（例えば、参考文献１参照）
また、既存の壁面を利用する例として、壁等の耐震補強のためのコンクリート増し厚工事や、劣化したコンクリート部を除去して修復する断面修復工事の際の型枠として、施工壁面にアンカーを固定、セパレータ、Ｐコンを装着、セパレータを通して面板を固定し、補強の骨組材をフォームタイで固定する方法がある。（例えば、参考文献２参照）【０００３】  前記の断面修復工事は、コンクリート構造物の、豆板、コールドジョイント、中性化、塩害、凍害等の原因で許容限度以上に劣化したコンクリート部を除去し、エポキシ樹脂モルタルやポリマーセメントなどの断面修復材で当初の断面寸法へ修復する工事であって、工法としては、左官コテにて修復材を塗り付けて充填する左官工法、次に断面修復部を型枠で閉塞して、グラウトポンプにより充填するグラウト工法、そして吹き付け機械による吹き付け工法がある。断面修復工事は、点在した小規模のコンクリート劣化部を補修するケースが多く、施工性、コスト面から左官工法が採用されることが多い。【０００４】  左官工法はポリマーセメントに水を混ぜて撹拌した流動性の高い修復材を左官コテにて塗り付けし充填を行うが、壁面や躯体底面を修復する場合、修復断面が厚い場合は修復材がだれないよう薄く、繰り返し塗り付ける作業となり、一度塗り付けし、その層がある程度自立して次の層の塗り付けが可能になるまで硬化時間を要する。又その塗り付け作業も左官工としての高い技能を要し、手間と時間を要する作業である。
【先行技術文献】
【特許文献】
【０００５】
【特許文献１】特開２００２−３２７５３３号公報（第４図）
【特許文献２】特開平１０−２２００２８号公報（代表図）
【発明の概要】
【発明が解決しようとする課題】
【０００６】  文献１には、「エキスパンドメタルを素材として構成された正面方形の垂直面（４Ａ）に、表側せき板部（２）、裏側せき板部（３）、鉄筋用網板（４）、ワッシャー（５）、Ｐコン（６）、締付けロッド（７）から構成される」ことが記載されている。
文献２には、コンクリート壁増厚工法として、「既設コンクリート壁に適宜の間隔で穿孔したアンカー穴に・・・・、セパレーターを螺着し、型枠を組み立てた後、フォームタイをセパレーターに接続し、型枠を締め付け、既設コンクリート壁と型枠間にコンクリートを打設する」との記載がある。【０００７】  図１に、文献１及び文献２で示される従来の技術を用いて、型枠を用いた断面修復工事を施工する場合の例を示す。（ａ）は型枠内の基礎を示すアンカー位置での断面図、（ｂ）は（ａ）の正面図、（ｃ）は型枠構造を示すアンカー位置での断面図、（ｄ）は（ｃ）の正面図である。
断面修復工事はアンカー１０、セパレータ２０、Ｐコン３０、面板４０、縦端太材３１、横端太材３２、フォームタイ２４、ナット等で構成することが考えられるが、図に示すように断面修復工事の施工箇所全体を一度に建込むことになる。
増し厚工事の場合は、断面修復工事のように劣化したコンクリートを除去する斫り工事は無く、アンカー固定部は既設の壁面であって、充填材の投入口Ｆとなる型枠の上側に天井面以外は障害物がない状態で充填材投入ができる。
これ以外は断面修復工事と同様であって、充填材の投入箇所が、型枠最上段のみであって、縦寸法が長い場合は、修復箇所並びに増し厚箇所に空洞などの充填不足が発生しないようにするため、増し厚工事、断面修復工事ともに充填作業に時間と手間がかかるという課題がある。【０００８】  また、断面修復作業においては、劣化したコンクリートを斫り作業で除去した面は凹凸や傾斜した面となっていて、この面を施工基準面Ｃとしてアンカー１０を固定すると仕上面Ａとの間隔が不揃いで、且つ寸法が３ｃｍから５ｃｍ程度の狭い事例が多く、従来工法でのＰコンが使い難いとの課題がある。
本発明は、このような課題を解決することを目的とするものである。
【課題を解決するための手段】
【０００９】  本発明は前記の課題を解決するため、本発明は、型枠を用いてコンクリートや充填材を打設する施工において、施工基準面に所定の間隔で固定されたアンカーに着脱自在に設けたセパレータに、型枠板４０を施工基準面と仕上面の間隔を保持して固定する目的で使用され、前記セパレータを内挿して設けられ、円筒状で樹脂材料の発泡体で成り、施工基準面と仕上面の間隔が一様でない場合に対応可能に、施工時に適宜切断手段によって長さ調節可能であることを特徴とする型枠固定材とする。
また、施工基準面に固定されたアンカーに着脱自在に設けたセパレータに挿通され、型枠板を施工基準面と仕上面の間隔を保持して固定する型枠固定材を用いた型枠工法とするのが好ましい。
【発明の効果】
【００１０】  本発明のセパキャップ５０は、樹脂製の発泡体としたので適度の弱強度であり、施工時にセパキャップ５０の長さを現場合わせでナイフなどの適宜の切断手段で切断して調整できるので、施工基準面と仕上げ面の間隙が不揃いであっても対応可能であり、面板の取付けが簡単になる。
また、セパキャップ５０は、セパレータに被せて用いられ充填剤を隔離し、充填材が硬化した後であっても、セパキャップ５０は、前記のように適度の弱強度であるので、セパレータをアンカーから螺脱して抜き取ることがでる。セパレータを抜き取った後は適宜道具で残渣を清掃することができる。このように、型枠組立解体を容易にかつ時間短縮を可能にする。
【図面の簡単な説明】
【００１１】
【図１】従来工法型枠施工の説明図である。（ａ）は型枠内の基礎を示す断面図、（ｂ）は（ａ）の正面図、（ｃ）は型枠構造を示す断面図、（ｄ）は（ｃ）の正面図である。
【図２】本発明の型枠施工の説明図である。（ａ）は型枠内の基礎を示す断面図、（ｂ）は（ａ）の正面図、（ｃ）は型枠構造を示す断面図、（ｄ）は（ｃ）の正面図である。
【図３】従来工法の基礎部を断面で示す説明図である。
【図４】本発明のセパキャップの基礎部を断面で示す説明図である。
【発明を実施するための形態】
【００１２】  本発明の実施形態を図２〜図４にもとづいて詳細に説明する。
本発明の型枠は図２に示すように、アンカー１０、セパレータ２０、面板４０、セパキャップ５０、縦端太材３１、横端太材３２、ホームタイ３３、セパナット２１で構成される。
図２に示すように劣化部のコンクリート除去が完了した修復基準面Ｃに所定の間隔でアンカー１０を固定し、セパレータ２０をそのネジ部で着脱自在に装着し、セパレータ２０にセパキャップ５０を装着する。
つぎに、セパレータ２０を貫通して孔があけられた面板４０をセパキャップ５０に当接させて装着する。つぎに、セパレータにフォームタイ３３を装着して縦端太材３１、横端太材３２を取り付けセパナット２１で締付けて固定し型枠組立が完了する。
【００１３】  本発明のセパキャップ５０は、図３に示すように、セパレータ２０の外径より大きい内径の円筒状であって、セパレータ２０の軸方向にスライド可能であり、施工時に適宜の切断手段、例えばナイフで切断でき、かつ軸方向に型枠を組み立てる際の圧力に耐える剛性を有する材料と形状とする。例として、樹脂材料の発泡体はナイフ等で容易に切断ができ、圧縮強度が大きい材料なので好ましい。
【実施例】
【００１４】  次にセパキャップ５０を使用した断面修復工事における型枠施工方法の例について説明する。
コンクリートの劣化した部分を除去した修復基準面Ｃに所定の間隔でアンカー１０を削孔、定着し、セパレータ２０をネジ部で着脱自在に装着し、セパレータ２０にセパキャップ５０を内挿して装着する。
つぎに、面板４０をセパキャップ５０に当接させて修復面Ａの位置になるように装着することとなるが、修復基準面Ｃは斫りによる凹凸や傾斜があり修復面Ａまでの間隔が一定ではない。そこで、セパキャップ５０の端部が修復面Ａに相当する位置に合うようにナイフなどの適宜の切断手段で切断する。
つぎにセパレータ２０を貫通して孔があけられた面板４０をセパキャップ５０に当接させて装着する。セパレータにフォームタイ３３を装着して、縦端太材３１、横端太材３２を取り付けセパナット２１で締付けて、これらが面板４０とともにセパレータに固定し、枠組立が完了する【００１５】  つぎに、修復材を投入、充填し、養生充填材硬化後に型枠を解体する。
従来の型枠の場合は、セパレータは硬化した修復材により埋設される。
これに対し、本発明の場合は、セパレータはセパキャップによって硬化した修復材から隔離されていて、かつセパキャップが適宜の弱強度であるので、セパレータは修復材が硬化した後でも強制的にアンカーネジ部から離脱することができる。このあと、セパキャップの残渣は専用工具で除去し、空孔を清掃する。
型枠脱型後、図４のように突出した漏斗部Ｊを斫り落としセパキャップの箱抜き部の孔埋めを含めて表面を左官仕上げし作業完了となる。【００１６】  以上のように、断面修復工事における型枠工事にセパキャップを使用することで、従来のＰコンを使用した型枠組立工法よりも容易に施工でき、資材費並びに施工手間の削減が可能になる。
【符号の説明】
【００１７】１      断面修復型枠
１０    アンカー
２０    セパレータ
２１    セパレータナット
３１    縦端太材
３２    横端太材
３３    ホームタイ
４０    面板
５０    セパキャップ
ＳＢ１  施工基準面から仕上げ面の間隔（セパキャップ切断寸法）
ＳＢ２  セパレータ切断寸法
Ａ      仕上面
Ｃ      施工基準面
Ｊ      突出部
Ｉ      セパキャップ箱抜き部
【図１】
2018150785.tif 000003
【図２】
2018150785.tif 000004
【図３】
2018150785.tif 000005
【図４】
2018150785.tif 000006